(57)【要約】【課題】アプリケーション毎の使用可能残時間を表示し、残時間に応じた処理方法を選ぶことができる情報処理装置及びバッテリ残容量表示方法を提供する。【解決手段】電源を供給するバッテリ部１０と、バッテリ部の残容量を検出する残容量検出部１５，２４と、検出した残容量に基づいてバッテリ部から供給される電源に基づき情報処理を行うアプリケーションの処理が可能な残時間を計算する残時間計算部１５と、この残時間を表示する表示部２１とを有する情報処理装置であり、ユーザは、現在のバッテリ残量で使用できるアプリケーションの時間を画面から知ることができる。【選択図】      図１
2005080385.tif 000002
【特許請求の範囲】
【請求項１】
電源を供給するバッテリ部と、
前記バッテリ部の残容量を検出する残容量検出部と、
前記残容量検出部で検出した残容量に基づいて、前記バッテリ部から供給される電源により情報処理を行うアプリケーションの処理が可能な残時間を計算する残時間計算部と、
前記残時間計算部が計算した前記残時間を表示する表示部と、
を具備することを特徴とする情報処理装置。
【請求項２】
前記残時間計算部は、予め記憶された複数のアプリケーションの各消費電力と、前記検出した残容量とに基づき、前記複数のアプリケーションの内の少なくとも一つのアプリケーションの処理が可能な残時間を計算することを特徴とする請求項１記載の情報処理装置。
【請求項３】
前記残時間計算部は、前記複数のアプリケーションの内の少なくとも一つのアプリケーションが起動されると、そのアプリケーションの残時間を計算することを特徴とする請求項５記載の情報処理装置。
【請求項４】
前記残時間計算部が残時間を計算するアプリケーションは、テレビ放送を受信する受信処理と、受信したテレビ放送の放送信号のデコード処理と、デコードした放送信号に基づく映像の表示処理との少なくとも一つであることを特徴とする請求項１記載の情報処理装置。
【請求項５】
前記残時間計算部が残時間を計算するアプリケーションは、画像表示を伴うゲームアプリケーションであることを特徴とする請求項１記載の情報処理装置。
【請求項６】
前記残時間計算部は、前記バッテリ部の残容量から前記情報処理装置の基本機能を維持するための容量を確保した上で、他のアプリケーションの処理が可能な残時間を計算することを特徴とする請求項１記載の情報処理装置。
【請求項７】
前記残時間計算部は、前記バッテリ部から供給される電源に基づき情報処理を行う複数のアプリケーションの各消費電力を予め記憶しておき、ユーザの指示を受けると、記憶された前記各消費電力に基づいて、前記複数のアプリケーションの内の少なくとも一つのアプリケーションの処理が可能な残時間を計算することを特徴とする請求項１記載の情報処理装置。
【請求項８】
前記残容量検出部が、前記バッテリ部の残容量が所定値以下であると判断すると、前記アプリケーションの処理方法の変更を促す表示を行い、指示に応じて処理方法を異ならせて前記アプリケーションの処理を行うべく制御する制御部を更に有する請求項１記載の情報処理装置。
【請求項９】
前記アプリケーションであるテレビ受信の機能において、所定チャンネルが選択されると、そのチャンネルで受信している所定番組について、取得した電子番組情報から残りの放送時間を決定し、前記残容量検出部で検出した前記残容量に基づいて残りの放送時間の全てが表示可能かどうかを判断し、表示不可能となれば前記所定番組の受信情報のデコード方法の変更、又は、前記表示部の輝度の変更を促すべく制御する制御部を更に有する請求項１記載の情報処理装置。
【請求項１０】
電源を供給するバッテリ部の残容量を検出し、
前記検出した残容量に基づいて、前記バッテリ部から供給される電源により情報処理を行うアプリケーションの処理が可能な残時間を計算し、
前記計算した残時間を表示することを特徴とする情報処理装置のバッテリ残容量表示方法。
【発明の詳細な説明】
【技術分野】
【０００１】
この発明は、音声情報や映像情報を送受信し記録し再生する情報処理装置に関し、特にバッテリ残容量を表示する情報処理装置及び情報処理装置のバッテリ残容量表示方法に関する。
【背景技術】
【０００２】
周知のように、現在では、様々な技術分野において、多種多様な情報を処理する装置が普及している。これらの装置においては、一様に小型化される傾向があり、コンパクトなバッテリ部による電源で多くのアプリケーションを長時間動作させることが要求されている。
【０００３】
特許文献１には、移動受信機及び地上デジタル放送送信システムが示されており、ここでは、消費電力を抑制するために、放送信号を従来の１３セグメントでデコードするだけではなく、１セグメントでデコードする例が挙げられている。これにより、小型化され小容量のバッテリによる移動受信機においても、デジタル放送を比較的長時間、受信することが可能となる。
【特許文献１】特開２００３−１５２５７９号公報
【発明の開示】
【発明が解決しようとする課題】
【０００４】
しかしながら上述した従来技術においては、現在のバッテリの残容量でその情報処理装置が後どれぐらい使用できるかの具体的な情報がユーザには与えられないという不具合がある。すなわち、例えば、携帯電話においては、バッテリの残容量がある程度表示されてはいるものの、最近の情報処理装置においては、単機能ではなく複数の機能を併せ持った装置が多く存在しており、各アプリケーションでどれくらい使用できるかを知ることがユーザにはできないという不具合がある。
【０００５】
本発明は、アプリケーション毎の使用可能残時間を表示し、残時間に応じた処理方法を選ぶことができる情報処理装置及びバッテリ残容量表示方法を提供することを目的とする。
【課題を解決するための手段】
【０００６】
本発明は、電源を供給するバッテリ部と、前記バッテリ部の残容量を検出する残容量検出部と、前記残容量検出部で検出した残容量に基づいて、前記バッテリ部から供給される電源により情報処理を行うアプリケーションの処理が可能な残時間を計算する残時間計算部と、前記残時間計算部が計算した前記残時間を表示する表示部とを具備することを特徴とする情報処理装置である。
【発明の効果】
【０００７】
上記した情報処理装置においては、バッテリの残容量を検出し、この残容量に応じて、特定のアプリケーションの使用可能な残時間を計算する。そして、それを液晶画面等に表示するものである。すなわち、テレビ放送の受信が可能な情報処理装置において、例えば、予めバッテリの種類に応じて、バッテリの電圧と残容量との関係情報を確保しておく。そして、現在のバッテリの電位を正確に測定すればこの関係情報から現在のバッテリの残容量が特定できる。更に、例えば、テレビ放送の受信処理であれば、そのための消費電力を予め測定してデータとして格納しておく。そうすれば、その時点でのバッテリの残容量による受信可能な時間を計算することができる。この計算結果を、受信中のテレビ放送を表示している液晶画面にテレビ画面と同時に表示することで、例えば、ユーザは、今のバッテリの残容量で１時間受信が可能である等、知ることができる。
【０００８】
この時、例えば、１３セグメントから１セグメントへのモードの変更を、情報処理装置の画面上で促すことにより、ユーザに対して、画質を低く抑えても２時間の番組を全部視聴することができる選択肢を提供することも可能となる。  
【発明を実施するための最良の形態】
【０００９】
以下、この発明の実施の形態について図面を参照して詳細に説明する。
【００１０】
＜本発明に係る情報処理装置＞
（構成と基本動作）
初めに、本発明に係る情報処理装置の構成について図面を用いて詳細に説明する。図１は、本発明に係る情報処理装置の一実施の形態を示すブロック図、図２は、この情報処理装置が有する移動型通話部の一例を示すブロック図、図１３は、この情報処理装置の外観の一例を示す説明図、図１４は、この情報処理装置の外観の他の一例を示す説明図である。
【００１１】
本発明に係る情報処理装置１においては、図１に示すように、地上デジタル放送である通常の高画質な放送（１３セグメント放送）と、主に携帯ＴＶ受信機向けの低データレート放送（１セグメント放送）とを受信するチューナ部１１と、これらをそれぞれ復調する復調部１２とがバスラインに接続されて設けられている。更に、静止画像や動画像を取り込むためのＣＣＤ部１３と、チューナ部１１・復調部１２で取り込んだ放送画像情報やＣＣＤ部１３で取り込んだ静止画像情報、動画像情報等の画像処理を行う画像処理部１４とを有している。更に、ゲームアプリケーション等の各種プログラム等を格納するメモリ部１７がバスラインに接続されて設けられている。更に、移動電話機能のための移動型通話部２００をバスラインに接続されて有している。
【００１２】
更に、全体の動作を司るＭＰＵ１５と、ユーザの操作指示を受ける操作部１６とをバスラインに接続されて有している。なお、このＭＰＵ１５は、メモリ部１７のプログラム等と共に動作することで、後述するバッテリの残容量・残時間を計算する計算部を有している。更に、情報処理装置１は、外部から着脱可能な記録媒体を接続するための外部メモリ部１８を有している。更に、記録すべき画像情報や音声情報等、アプリケーションプログラム等を格納するハードディスクドライブ１９と、上述した各ユニットの動作のための電源を供給するバッテリ部１０と、バッテリ部１０の電圧を検出するバッテリ電圧検出部２４と、静止画や動画の映像情報を処理して出力する映像出力部２０と、これに接続して映像を表示するＬＣＤ（Liquid Crystal Display）モニタ部２１と、音声信号を処理してスピーカ・ボコーダ部２３と音声信号のやり取りをする音声入出力部２２とを有している。
【００１３】
又、本発明に係る情報処理装置の他の実施形態としては、モバイルＴＶとして、ノートＰＣ等の機器にデジタル放送受信のためのチューナカード等のアダプターを接続することにより携帯ＴＶ受信機として機能させることも好適である。この場合、チューナカード内の復調処理は、１３セグメント放送、１セグメント放送のどちらにも対応できるものとする。又、チューナカードから出力される圧縮符号化された映像や音声のデコードは、ノートＰＣのＣＰＵによるソフトウェアにより行う。通常１３セグメント放送と１セグメント放送とは圧縮符号化の方式が異なるが、ソフトウェアを切り替えることで、どちらの場合もデコードできるものとする。
【００１４】
更に、図２を用いて、上述した移動電話機能のための移動型通話部２００の構造を説明する。移動型通話部２００は、アンテナ２０１と、デュプレクサ２０２と、ＲＦ受信利得可変増幅器２０３と、ＲＦ帯域制限フィルタ２０４と、周波数変換器２０５と、ＩＦ帯域制限フィルタ２０６と、ＩＦ受信利得可変増幅器２０７と、変調・復調部２０８と、ＩＦ送信利得可変増幅器２１１と、周波数変換器２１２と、ＲＦ帯域制限フィルタ２１３と、ＲＦ送信利得可変増幅器２１４と、電力増幅器２１５と、アイソレータ２１６と、ボコーダ２３と、スピーカ２３とを有している。
【００１５】
又、変調・復調部２０８は、例えば直交復調部２８１と、Ａ／Ｄ変換部２８２と、情報信号復調部２８３と、復号化部２９２とからなり、更に、ボコーダからの信号を暗号化する暗号化部２８９と、情報信号変調部２８４と、Ｄ／Ａ変換部２８５と、直交変調部２８６とにより構成される。この構成において、直交復調部２８１で直交復調された信号はＡ／Ｄ変換部２８２でＡ／Ｄ変換され、信号復調部２８３で情報信号復調されて、復号化部２９２により復号されて出力される。
【００１６】
この移動型通話部２００はこのような構成において、受信処理について説明すると、基地局から送信されるフォワードリンク信号はアンテナ２０１で受信、デュプレクサ２０２で受信信号帯域内の成分だけフィルタリングされ、ＲＦ受信利得可変増幅器２０３で増幅あるいは減衰され、ＲＦ帯域制限フィルタ２０４で不要成分をフィルタリングされ、周波数変換器２０５でＲＦ帯からＩＦ帯へ周波数変換され、ＩＦ帯域制限フィルタ２０６で不要成分をフィルタリングされ、ＩＦ受信利得可変増幅器２０７で増幅あるいは減衰され、変調・復調部２０８へ入力する。
【００１７】
変調・復調部２０８は、例えば直交復調部２８１と、Ａ／Ｄ変換部２８２と、情報信号復調部２８３と、情報信号変調部２８４と、Ｄ／Ａ変換部２８５と、直交変調部２８６で構成される。
【００１８】
ここで、暗号化部２８９と復号化部２９２とは、共通の暗号鍵情報で暗号化され復号されることが好適であり、暗号化処理により通話される音声情報の不当な傍聴を防止するものである。しかし、厳密には、送信側の移動型通話部からの暗号化のための暗号鍵情報と受信側の復号化部２９２との鍵情報が共通であればよい。
【００１９】
この構成を有する移動型通話部２００の受信処理について以下に説明すると、直交復調部２８１で直交復調された信号はＡ／Ｄ変換部２８２でＡ／Ｄ変換され信号復調部２８３で情報信号復調され、更に復号化部２９２で復号されて音声としてスピーカ２３に出力される。
【００２０】
又、更にこの移動型通話部２００の送信処理について以下に説明すると、移動局から送信されるリバースリンク信号はボコーダ２８７により与えられ、これを暗号化部２８９にて暗号化する。この暗号化された暗号化信号は、情報信号変調部２８４で変調されて出力されＤ／Ａ変換部２８５でＤ／Ａ変換、直交変調部２８６で直交変調され、ＩＦ送信利得可変増幅器２１１で増幅あるいは減衰され、周波数変換器２１２でＩＦ帯からＲＦ帯へ周波数変換され、ＲＦ帯域制限フィルタ２１３で不要成分をフィルタリングして、ＲＦ送信利得可変増幅器２１４で増幅あるいは減衰され、電力増幅器２１５で増幅され、アイソレータ２１６を介してデュプレクサ２０２で送信信号帯域内の成分だけフィルタリングされて、アンテナ２０１で空間へ送信されるものである。
【００２１】
本発明に係る情報処理装置１は、一例として、図１３に示すように移動型電話機の形態をとることも好適である。更に、図１４に示すように、ＰＤＡ（Personal Digital Assistants）の形態をとることも可能である。この場合は、マイク付ヘッドフォンにより移動電話機能を実現することも好適である。
【００２２】
本発明に係る情報処理装置１は、上述したような構成により、ＭＰＵ１５の制御下において、チューナ部１１、復調部１２の働きにより、デジタル地上波等のテレビ放送の受信、この受信した放送信号のＨＤＤ１９等への記録、記録されている放送信号や外部から提供された動画ファイルの再生を行うことができる。更に、同様に、ＭＰＵ１５の制御下において、ＣＣＤ部１３から取得した映像信号をＨＤＤ１９等へ記録し、記録された動画ファイルを再生することができる。同様に、チューナ部１１、復調部１２の働きにより、ラジオ放送等の受信と記録が可能であり、更に、復調部１２や音声入出力部２２の働きにより、ＨＤＤ１９等に格納された音声ファイル等の再生を行うものである。同様に、静止画の記録や再生も同様に行うことができる。更に、メモリ部１７やＨＤＤ１９に格納されたプログラムに応じて、動画像や音声中心のビデオゲームや、静止画像中心のテーブルゲームをプレイすることが可能である。又、更に、ＭＰＵ１５の制御下において、上述した移動型通話部２００の働きにより、移動型電話機能を用いて他の電話機と通話をすることが可能となる。又、他のアプリケーションプログラムをＨＤＤ１９等に格納して、ＭＰＵ１５等の制御下により動作させることで、任意の機能を発揮できるものである。
【００２３】
（バッテリ残容量の表示機能）
次に、本発明に係る情報処理装置のバッテリ残容量の表示機能について、図面を用いて詳細に説明する。図３は、この情報処理装置が用いるバッテリの電圧−容量曲線を示すグラフ、図４は、この情報処理装置の各機能と消費電力との関係の一例を示す図、図５は、この情報処理装置の動作の一例を示すフローチャート、図６は、この情報処理装置の動作の他の一例を示すフローチャート、図７は、この情報処理装置の動作の他の一例を示すフローチャート、図８は、この情報処理装置の動作の他の一例を示すフローチャート、図９は、この情報処理装置の動作の他の一例を示すフローチャート、図１０は、この情報処理装置の選択画面の一例を示す説明図、図１１は、この情報処理装置の表示画面の一例を示す説明図、図１２は、この情報処理装置の表示画面の他の一例を示す説明図である。
【００２４】
上述した情報処理装置１は、携帯電話機やＰＤＡ、ノートＰＣ（Personal Computer）等のモバイルタイプのものであり、バッテリで全てのアプリケーションを動作させることが主である。このような情報処理装置１においては、バッテリ部１０の大きさが装置全体の大きさに影響を与えるため、できるだけバッテリ部１０を小型化する一方で、長時間、アプリケーションを動作させたいというユーザからの要望がある。
【００２５】
従って、本発明に係る情報処理装置においては、バッテリ部１０の残容量を正確に認識し、更に、アプリケーション毎の消費電力を予め保存しておき、これらに基づいてアプリケーション毎の実行可能な残時間を表示するものである。これにより、ユーザの細かな要望に対応して最適の選択肢を提供することが可能となる。
【００２６】
すなわち、例えば、ＴＶ受信において、残時間を表示することで、ユーザは、消費電力が大きい１３セグメントの高画質なＴＶ放送を１セグメントの並画質のＴＶ放送に切り換えて視聴することで、移動型電話の基本機能である、例えば、１０分程の通話処理及び６時間の待受処理のためのバッテリ容量を確保するという選択が可能となる。
【００２７】
以下に、図５のフローチャートを用いて、本発明に係る情報処理装置の動作を説明する。情報処理装置１は、一例として、アプリケーションの起動指示、例えば、地上波デジタルテレビ等のＴＶ受信により、そのバッテリ残容量の表示を行うものである。始めに、電源が投入されている情報処理装置１において、例えば、地上波デジタルテレビ等のＴＶ受信が指示され８チャンネルが選択されることをきっかけ（トリガー）として（Ｓ１１）、又は、ユーザの操作により、残時間の表示を促す操作が行われることをきっかけ（トリガー）として（Ｓ１２）、図１のバッテリ電圧検出部２４が、バッテリ部１０の電圧を検出する（Ｓ１３）。この電圧値は、例えば、Ａ／Ｄ変換されて、ＭＰＵ１５に供給され、現在のバッテリ部１０の電圧値が正確に伝えられる。
【００２８】
ここで、ＭＰＵ１５は、例えば、メモリ部１７において、使用しているバッテリ部１０の種類、例えば、リチウムイオン電池やニッケル水素電池等の種類に応じた、電圧と残容量（ここで、残容量はＷＨ（ワット時）により特定される）との対応情報（図３参照）が予め格納されている。図３のグラフにおいて、例えば、バッテリ電圧検出部２４から与えられた電圧値が４．９Ｖであれば、残容量が５０％残っていることがわかる。従って、１００％の容量が６ＷＨであれば、この時点で３ＷＨの残容量があることが計算で求められる（Ｓ１３）。
【００２９】
次に、ＭＰＵ１５は、例えば、メモリ１７等から図４に示すような複数のアプリケーションの消費電力を示す予め格納されている情報を取得する。図４において、例えば、テレビ受信処理・１３セグメントのデコード処理・表示処理であれば、消費電力が３０００ｍＷであり、３ＷＨの残容量であれば、１時間の残時間が計算される（Ｓ１４）。従って、図１１に示すように、「残り６０分の受信ができます」等の残時間が、ＬＣＤモニタ部２１に表示される。これによりユーザは、従来装置では、単にフル充電や容量不足等の情報しか得られない場合に比べて、具体的にバッテリの残容量を知ることができるため、都合に応じたアプリケーションの使用の仕方を工夫することができる。又、ＴＶ受信以外のアプリケーション、例えば、静止画中心のテーブルゲームの場合の表示の例が、図１２に示されている。
【００３０】
なお、ここで、図４の消費電力情報においては、上述したテレビ受信処理・１３セグメントのデコード処理・表示処理の他に、テレビ受信処理・１セグメントのデコード処理・表示処理、テレビ受信処理・１セグメントのデコード処理・記録処理、デコードせず表示せずに記録する場合のテレビ受信処理・記録処理、更に、動画像の録画処理、動画像の再生処理がある。更に、動画像・音声中心のビデオゲーム、静止画像中心のテーブルゲーム、携帯電話の待受処理、携帯電話の通話処理、ラジオ放送の受信処理、ラジオ放送の録音処理（受信処理含む）、音声ファイルの再生処理、更に、ＣＣＤ部１３を利用した静止画像の記録処理、静止画像の再生処理がある。又、この消費電力情報は、初めに全て測定して作成したものであってもよいし、一定期間毎に更新されるものであってもよく、又、使用する際に測定して求めるものであってもよい。
【００３１】
又、更に、情報処理装置１の基本機能としての、例えば、携帯電話機能の所定時間（例えば、１０分）の通話処理、所定時間（例えば、８時間）の待受処理のための消費電力を定義することができる。このように基本機能を確保した上での、他のアプリケーションの起動可能な残時間を示すことも好適である。ここでは、基本機能である１０分の通話処理、８時間の待受処理を確保した上での、待ちうけ処理が５９時間可能であることが示されている。
【００３２】
又、基本機能を保持するためのバッテリ部１０の容量を確保するべく、バッテリ部１０の容量が低下して基本機能を確保する値までに低下した場合、それ以上のアプリケーションの動作を停止することも好適である。これにより、例えば、情報処理装置１０でＴＶを長時間見つづけることで、重要と思われる携帯電話の機能を失ってしまうという不具合を回避することができる。なお、この基本機能の内容は、ＭＰＵ１５とメモリ部１７の働きにより、ユーザの要望に応じて任意に設定することが可能である。
【００３３】
次に、図５のフローチャートに戻ると、残時間を表示した後に、例えば、図１０に示すように、アプリケーションの処理方法の変更を促す表示を行う（Ｓ１６）。ここでは、視聴時間を優先すると、１３セグメント放送を１セグメント放送に切り換えると、６時間の視聴が可能であることが示され、更に、１３セグメント放送では、残り１時間であること、又、更に、１３セグメント放送で２０分、残りを１セグメント放送で視聴する等のハイブリッドの選択もあわせて示されている。これにより、ユーザの都合に応じた最適な使用方法を選択することが可能となる。ここで、ユーザからの処理方法の変更指示があれば（Ｓ１７）、アプリケーションの処理方法を変更した上で（Ｓ１８）、アプリケーションの処理を続行するものである（Ｓ１９）。
【００３４】
次に、図６のフローチャートが示すバッテリ残容量表示方法を説明する。すなわち、アプリケーションの起動の指示の後に（Ｓ１１）、バッテリ部１０の電圧を測定し、電圧と容量との対応情報に基づいて、バッテリ部の残容量を計算した（Ｓ１３）後、残容量が所定値（例えば、５０％）以下の場合だけ、残時間を表示するものである（Ｓ２１）。こうすることにより、充電が十分されている場合は残時間の表示が省略されるため、ユーザに煩わしさを与えないと同時に、残容量が不足になると表示を行うものである。なお、ステップＳ１４乃至ステップＳ１９については、図５の場合と同様である。又、バッテリ部１０の残容量の監視は、アプリケーションの起動指示がある場合だけではなく、所定時間（例えば、１５分等）毎に自動的に行うものであってもよい。
【００３５】
又、更に、図７のフローチャートが示すバッテリ残容量表示方法を説明する。ＴＶ受信処理において、ユーザによる操作部１６を介するチャンネル選局の指示があった場合に（Ｓ３１）、チューナ部１１により所望の局を選局し、受信信号を復調して受信画像をモニタ部２１に表示する。その後、チューナ部１１によって、受信中の番組信号からこの番号のＥＰＧ（Electronic Program Guidance）情報を取得し、又は、一例として、移動型通話部２００が電話回線を介してインターネット経由により、ＥＰＧ情報を取得する。そして、このＥＰＧ情報から、現在時間に照らし合わせて、受信中の番組の残りの放送時間を計算する（Ｓ３２）。その上で、現在のバッテリ部１０の残容量で、番組の残りが放送可能かどうかを判断する（Ｓ３３）。例えば、ＥＰＧ情報により２時間番組の放送の残りが１時間２０分であり、１３セグメントの放送受信時の消費電力では、全ての残りの放送時間を受信できないとなれば、１３セグメントから１セグメントへの変更を図１０に示すように提案し、これが同意されれば（Ｓ３４）、１セグメントによるデコードを行うものである（Ｓ３５）。
【００３６】
更に、ステップＳ３４において、１セグメントへの変更を拒否された場合は、液晶輝度を下げて消費電力の抑制を提案し、同意が得られれば（Ｓ３６）、低輝度によるＬＣＤモニタ部２１の表示を行うものである（Ｓ３７）。このような受信処理を行うことにより（Ｓ３８）、ＥＰＧ情報を利用して、番組情報の残りの時間を求め、残時間を表示の上で、必要な処理方法の変更を行うことができ、ユーザにとっての最適の受信環境を実現するものである。
【００３７】
次に、図８のフローチャートにおいて、他のバッテリ残容量表示方法を説明する。ここでは、上述した図４の消費電力情報に基づく場合とは異なり、そのつど、ＣＰＵのステップ数等に基づいて、残時間を計算するものである。図８において、テレビ放送受信アプリケーションの実行を開始すると（Ｓ４１）、バッテリ部１０の電圧を測定し、電圧と容量との対応情報に基づいて、バッテリ部の残容量を取得する（Ｓ４２）。そして、ＴＶ受信に必要な処理量（ＣＰＵステップ数）を取得する（Ｓ４３）。そして、ＴＶ受信に必要なＣＰＵ処理量と現在のＣＰＵの最大処理能力とに基づいて、利用可能なＣＰＵの処理能力制御パラメータ値（動作クロック数、動作電圧等）を求める（Ｓ４４）。そして、チューナ部やＬＣＤモニタ部２１の表示輝度の消費電力を加味し、ＴＶ受信が可能な時間を計算する（Ｓ４５）。そして、このＴＶ受信が可能な時間をＬＣＤモニタ部２１に表示する（Ｓ４６）。その後、ＴＶ受信処理を続ける（Ｓ４７）。このように、ＣＰＵのステップ数等に基づいて、ＴＶ受信の残時間を求めることも好適である。
【００３８】
次に、図９のフローチャートにおいて、他のバッテリ残容量表示方法を説明する。図９において、ステップＳ４１乃至ステップＳ４４については同様の処理を行うものである。ここで、ステップＳ５１において、現在のＣＰＵの処理能力（動作クロック、動作モード）を取得し（Ｓ５１）、チューナ部の消費電力等の他に、ディスプレイの表示輝度やＨＤＤの動作状態等の変更可能な消費電力パラメータに応じた、ＴＶ受信可能な時間を計算する（Ｓ５２）。すなわち、ここでは、変更可能な範囲で、複数の消費電力の選択肢が生成される。次に、ＴＶ受信の可能な時間と動作環境の組合せの複数の選択肢を掲示する（Ｓ５３）。この例は様々なものが考えられるが、ＴＶ受信を例にとると、上述したデジタル放送の１３セグメント放送の受信と１セグメント放送の受信との選択があり、ＬＣＤモニタ部２１の輝度の選択が少なくともある。他のアプリケーションにおいても、消費電力に影響を与える多くの選択肢が含まれる。
【００３９】
ここで、ユーザが例えば、デコード方法を１３セグメントから１セグメントに変更すると指示したら（Ｓ５４）、ＣＰＵ処理能力を変更に応じて制御した上で（Ｓ５５）、ＴＶ受信処理を続けるものである（Ｓ５６）。
【００４０】
このように、図９に示す方法によれば、特に、ステップＳ５１において、現在のＣＰＵの処理能力を加味して、アプリケーションの残時間を計算しているため、より正確な残時間を提供することができる。更に、アプリケーションの処理方法の変更をユーザに対して提案しているため、ユーザの要望に応じた、最適のアプリケーションの実行が可能となる。
【００４１】
（他の実施形態）
又、更に、上述した本発明に係る情報処理装置において、番組視聴に先立ってユーザが視聴したい時間分を指定すると、その時点のバッテリ残量から適切な受信方法を調べ、ユーザに知らせて、ユーザはこれを容易に選択、指定できるようにすることも好適である。
【００４２】
すなわち、１時間番組を見たい場合、１時間の視聴の要求を行うと、１３セグメント放送受信をセグメント放送に切り替えれば１時間分の視聴が可能といった情報をメニュー等でユーザに掲示し、ユーザが事前に選択できるようにする場合である。
【００４３】
又、上述した１セグメント放送受信時には、より効果的にバッテリの消耗の低減を図るため、ＣＰＵの動作を省電力モードで動作させることが好適である。
【００４４】
又、ノートＰＣやＰＤＡ等は、ＴＶ番組を視聴した後もしばらく別の作業（メールやワープロなど）のために使用したいことがある。このため、番組視聴が終わった時点で残しておくべきバッテリ容量をユーザが操作により指定した上で、ユーザが視聴したい時間分を指定すると、その時点のバッテリ残量から適切な受信方法をユーザに知らせ、容易に選択、指定できる処理も好適である。
【００４５】
すなわち、ＭＰＵ１５は、このために、ユーザが指定したアプリケーションと使用時間とに基づいて、必要な容量を計算し、現在のバッテリの残容量からこの容量を差し引いた残容量について、ＴＶ受信を行うべく制御する。更に、残容量において、適正な受信方法を、その受信方法の消費電力を加味した上で、ユーザに提示するものである。
【００４６】
又、バッテリ容量が極端に少ない場合、ＴＶ受信の方法の１つとして番組をリアルタイムにデコード・表示するのではなく、外部メモリ部１８であるＳＤメモリカード等の比較的消費電力の少ない記録メディアに一旦記録するといった選択肢を設けることが好適である。この場合実際の視聴は、後で電源の制約のない機器環境の下で記録メディアから再生することで行う。
【００４７】
又、デコード処理は必ずしもソフトウェアである必要はなく、チューナカード又はハードウェア別途ＰＣ、ＰＤＡ本体に装着あるいは組み込まれたハードウェアにより行ってもかまわない。
【図面の簡単な説明】
【００４８】
【図１】本発明に係る情報処理装置の一実施の形態を示すブロック図。
【図２】本発明に係る情報処理装置が有する移動型通話部の一例を示すブロック図。
【図３】本発明に係る情報処理装置が用いるバッテリの電圧−容量曲線を示すグラフ。
【図４】本発明に係る情報処理装置の各機能と消費電力との関係の一例を示す図。
【図５】本発明に係る情報処理装置の動作の一例を示すフローチャート。
【図６】本発明に係る情報処理装置の動作の他の一例を示すフローチャート。
【図７】本発明に係る情報処理装置の動作の他の一例を示すフローチャート。
【図８】本発明に係る情報処理装置の動作の他の一例を示すフローチャート。
【図９】本発明に係る情報処理装置の動作の他の一例を示すフローチャート。
【図１０】本発明に係る情報処理装置の選択画面の一例を示す説明図。
【図１１】本発明に係る情報処理装置の表示画面の一例を示す説明図。
【図１２】本発明に係る情報処理装置の表示画面の他の一例を示す説明図。
【図１３】本発明に係る情報処理装置の外観の一例を示す説明図。
【図１４】本発明に係る情報処理装置の外観の他の一例を示す説明図。
【符号の説明】
【００４９】
１１…チューナ部、１２…復調部、１３…ＣＣＤ部、１４…画像処理部、１５…ＭＰＵ（残容量・残時間計算部）、１６…操作部、１７…メモリ部、１８…外部メモリ部、１９…ＨＤＤ、２０…映像出力部、２１…ＬＣＤモニタ部、２２…音声出力部、２３…スピーカ・ボコーダ部、２００…ＬＣＤモニタ部。
【図１】
2005080385.tif 000003
【図２】
2005080385.tif 000004
【図３】
2005080385.tif 000005
【図４】
2005080385.tif 000006
【図５】
2005080385.tif 000007
【図６】
2005080385.tif 000008
【図７】
2005080385.tif 000009
【図８】
2005080385.tif 000010
【図９】
2005080385.tif 000011
【図１０】
2005080385.tif 000012
【図１１】
2005080385.tif 000013
【図１２】
2005080385.tif 000014
【図１３】
2005080385.tif 000015
【図１４】
2005080385.tif 000016